(57)【特許請求の範囲】
【請求項１】
ウエブシートｗ１、ｗ２にそれぞれ印刷する第１印刷装置Ａ１と、第２印刷装置Ａ２と、印刷によりウエブシートのうち少なくとも一方に形成された発泡性パターンを加熱して発泡させる加熱装置Ｃと、印刷される前記両ウエブシートを、一方が前記加熱装置Ｃかつ他方が補助デリバリ装置Ｄに導入する状態と、一方が前記補助デリバリ装置Ｄかつ他方が前記加熱装置Ｃに導入する状態とを切り替える導入切換装置Ｇと、前記加熱装置Ｃにて加熱後のウエブシートをエンボスするエンボス装置Ｅと、エンボス後のウエブシートを巻き取る主デリバリ装置Ｆとを備えることを特徴とするシート印刷、発泡及びエンボス加工装置。
【請求項２】
前記加熱装置Ｃの前段に、ウエブシートの経路長を変更し以てウエブシートを蓄積、放出するアキューム装置Ｂを備える請求項１記載のシート印刷、発泡及びエンボス加工装置。
【請求項３】
前記印刷装置Ａ１、Ａ２にてそれぞれ印刷される両ウエブシートｗ１、ｗ２に対して、絵柄及び彩色印刷用の印刷インキと加熱発泡用の発泡性インキとの両インキを用いた印刷動作を行う請求項１又は請求項２記載のシート印刷、発泡及びエンボス加工装置。
【請求項４】
前記印刷装置Ａ１、Ａ２にてそれぞれ印刷される両ウエブシートｗ１、ｗ２のうち前記加熱装置Ｃ側に導入される一方のウエブシートに対して絵柄及び彩色印刷用の印刷インキと加熱発泡用の発泡性インキとの両インキを用いた印刷動作を行い、補助デリバリ装置Ｄ側に導入される他方のウエブシートに対して絵柄及び彩色印刷用の印刷インキのみを用いて印刷動作を行う請求項１又は請求項２記載のシート印刷、発泡及びエンボス加工装置。
【請求項５】
前記エンボス装置Ｅが加熱ユニットとエンボスユニットとから構成され、加熱ユニット、エンボスユニットの各ユニットが、エンボスロール交換のために回避移動と復帰が可能である請求項１〜４のいずれか１項に記載のシート印刷、発泡及びエンボス加工装置。
【発明の詳細な説明】
【０００１】
【発明の属する技術分野】
本発明は、紙、プラスチックフィルムなど、又はそれらの積層複合シートによるウエブシートに、印刷及びエンボス加工、あるいは印刷、発泡、エンボス加工を行って、印刷及びエンボス加工されたシート、印刷、発泡、エンボス加工されたシートを製造するためのシート印刷・発泡・エンボス加工装置に関する。
【０００２】
【従来の技術】
従来、紙、プラスチックフィルムなどのウエブシート（連続長尺シート）に対して、印刷、発泡、エンボス加工を行って、化粧シートや壁紙など建装材シートを製造する場合、印刷工程と、発泡工程及びエンボス工程とを、それぞれ個別の製造ラインにて製造するオフライン方式で行うのが一般的である。
【０００３】
このようなオフライン方式により、印刷と発泡及びエンボス加工を行う場合には、まず、本稼働印刷前に、ウエブシートを印刷装置に導入し、絵柄・彩色印刷用の通常の印刷インキと発泡性インキ（印刷インキや塗布用ペースト中に発泡剤を配合したインキ）を用いて試し印刷（刷り出し）を行う。そして所定の色相、濃度、膜厚、印刷見当など印刷条件を調整しながら、ウエブシートに対して、仕様通りの所定の印刷を行う。
【０００４】
そして、所定の印刷が行われていることを目視などで確認した上で、そのままの条件を保持しつつ、本稼働印刷に移行する。そして、本稼働印刷により、ウエブシートに所定の印刷パターン、発泡性パターンを印刷して巻き取り、一旦、巻き取り（ロール）状の印刷物（ウエブシート印刷物）を得る。
【０００５】
次に、得られたウエブシート印刷物を巻き出しながら加熱装置やエンボス装置などの加工装置に導入して、発泡性インキを加熱発泡させ、エンボス加工を行って、化粧シートや壁紙などの加工シートを製造する。
【０００６】
上記オフライン方式で、２種類以上のロット（品目）に亘って、異なる絵柄の印刷、異なる発泡パターン、あるいは異なるエンボスパターンの加工シートを製造する際には、各ロット（品目）毎に、先のロットに使用した印刷版やエンボスロールを次のロットの印刷に使用する印刷版やエンボスロールに交換して、各ロット毎に前述のような試し印刷を行い、続いて本稼働印刷により各ロット毎に巻き取り状の印刷物を得た後、それぞれ印刷物を加熱装置、エンボス装置に導入して、加熱発泡加工、エンボス加工を行って、化粧しートや壁紙などの加工シートを製造している。
【０００７】
【発明が解決しようとする課題】
ところで、上記オフライン方式では、各ロット毎に印刷装置によって印刷されたウエブシート印刷物は、フォークリフトなどの搬送手段によって印刷装置から加熱装置とエンボス装置に搬送する搬送操作が必要であり、また、加熱装置とエンボス装置に搬入した後は、ウエブシート印刷物をその加熱装置及びエンボス装置に導入するためのシート導入操作を必要としている。
【０００８】
そこで、このようなオフライン方式によるウエブシート印刷物の搬送操作やシート導入操作を省力化するための対策として、印刷装置と加熱装置（発泡用加熱装置）とエンボス装置とを１つの製造ラインとして直結したインライン方式による加工シートの製造がある。
【０００９】
しかしながら、このようなインライン方式では、ウエブシートに対する試し印刷中においては、印刷装置以外の加熱装置やエンボス装置は使用されないので、ウエブシートに対する試し印刷が終了するまで、加熱装置やエンボス装置などの熱源を一旦停止して、無駄なエネルギー消費を回避する必要がある。
【００１０】
そして、加熱装置やエンボス装置は印刷装置と連動回転しているため、ウエブシートに対する試し印刷中においても、駆動動作系を空転させているのが現状であり、無駄なエネルギー消費となっていた。
【００１１】
しかしながら、このような熱源の停止・再動作の繰り返しや、駆動動作系の空転動作は、実生産に寄与するエネルギー以外の無駄なエネルギーを消費することになるため、より効率的な生産システムが望まれていた。
【００１２】
本発明は、ウエブシートへの試し印刷中における加熱装置やエンボス装置の熱源停止と本稼働印刷における熱源再動作との繰り返し動作や、空動作による無駄なエネルギー消費を回避することにある。
【００１３】
【課題を解決するための手段】
本発明は、ウエブシートｗ１、ｗ２にそれぞれ印刷する第１印刷装置Ａ１と、第２印刷装置Ａ２と、印刷によりウエブシートのうち少なくとも一方に形成された発泡性パターンを加熱して発泡させる加熱装置Ｃと、印刷される前記両ウエブシートを、一方が前記加熱装置Ｃかつ他方が補助デリバリ装置Ｄに導入する状態と、一方が前記補助デリバリ装置Ｄかつ他方が前記加熱装置Ｃに導入する状態とを切り替える導入切換装置Ｇと、前記加熱装置Ｃにて加熱後のウエブシートをエンボスするエンボス装置Ｅと、エンボス後のウエブシートを巻き取る主デリバリ装置Ｆとを備えることを特徴とするシート印刷、発泡及びエンボス加工装置である。
【００１４】
また本発明は、前記加熱装置Ｃの前段に、ウエブシートの経路長を変更し以てウエブシートを蓄積、放出するアキューム装置Ｂを備えるシート印刷、発泡及びエンボス加工装置である。
【００１５】
また本発明は、前記印刷装置Ａ１、Ａ２にてそれぞれ印刷される両ウエブシートｗ１、ｗ２に対して、絵柄及び彩色印刷用の印刷インキと加熱発泡用の発泡性インキとの両インキを用いた印刷動作を行うシート印刷、発泡及びエンボス加工装置である。
【００１６】
また本発明は、前記印刷装置Ａ１、Ａ２にてそれぞれ印刷される両ウエブシートｗ１、ｗ２のうち前記加熱装置Ｃ側に導入される一方のウエブシートに対して絵柄及び彩色印刷用の印刷インキと加熱発泡用の発泡性インキとの両インキを用いた印刷動作を行い、補助デリバリ装置Ｄ側に導入される他方のウエブシートに対して絵柄及び彩色印刷用の印刷インキのみを用いて印刷動作を行うシート印刷、発泡及びエンボス加工装置である。
【００１７】
また本発明は、前記エンボス装置Ｅが加熱ユニットとエンボスユニットとから構成され、加熱ユニット、エンボスユニットの各ユニットが、エンボスロール交換のために回避移動と復帰が可能であるシート印刷、発泡及びエンボス加工装置である。
【００１８】
【発明の実施の形態】
本発明のシート印刷・発泡・エンボス加工装置は、図１の本発明加工装置の全体概要側面図に示すように、ウエブシートｗ1 、ｗ2 に絵柄・彩色印刷用の印刷インキ乃至加熱発泡用の発泡性インキを用いてそれぞれ印刷する第１印刷装置Ａ1 と第２印刷装置Ａ2 と、印刷される両ウエブシートｗ1 、ｗ2 のうち一方のウエブシートを導入し次に他方のウエブシートを導入して加熱発泡可能な加熱装置Ｃと、前記一方のウエブシートを加熱装置Ｃに導入している間に他方のウエブシートを加熱前に巻き取りデリバリングする補助デリバリ装置Ｄと、印刷されるそれぞれ前記ウエブシートｗ1 、ｗ2 を前記加熱装置Ｃと補助デリバリ装置Ｄとに切り換え導入するウエブシート導入切換装置Ｇと、前記加熱装置Ｃを通過した前記一方のウエブシートを導入してエンボス成形するエンボス装置Ｅと、エンボス成形後の前記一方のウエブシートを巻き取りデリバリングする主デリバリ装置Ｆとを備えるシート印刷・発泡・エンボス加工装置であり、以下に、その実施の形態に従って詳細に説明する。
【００１９】
図１中、Ａ1 は、グラビア印刷若しくはオフセット印刷方式による第１印刷装置、Ａ2 は、グラビア印刷若しくはオフセット印刷方式による第２印刷装置、Ｂはアキューム装置、Ｃは加熱装置、Ｄは補助デリバリ装置、Ｅはエンボス装置、Ｆは主デリバリ装置である。
【００２０】
［第１印刷装置Ａ1 ］
第１印刷装置Ａ1 は、長尺状のウエブシートｗ2 を巻き出すインフィードユニットＡ1aと、該ユニットＡ1aより巻き出された長尺状のウエブシートｗ1 （紙シート、プラスチックフィルム・シート、金属箔シート、又はこれらのうちいずれかの積層による複合シート）に、印刷パターン、印刷彩色を施すための１乃至２以上複数（例えば２色乃至６色程度）の印刷ユニットを備え、例えば、第１色目の印刷ユニット１１、第２色目の印刷ユニット１２、第３色目の印刷ユニット１３とにより構成される。
【００２１】
［第１印刷装置Ａ1 の各印刷ユニットについて］
上記第１印刷装置Ａ1 は、例えば、グラビア印刷方式の３色印刷装置である。
【００２２】
第１色目の印刷ユニット１１は、インキパン１１ｃ内に貯留するインキに接触して回転する版胴１１ａと、該版胴１１ａに対向圧接回転する圧胴１１ｂと、版胴１１ａに周接するドクターブレード１１ｄとにより構成される。
【００２３】
第２色目の印刷ユニット１２は、インキパン１２ｃ内に貯留するインキに接触して回転する版胴１２ａと、該版胴１２ａに対向圧接回転する圧胴１２ｂと、版胴１２ａに周接するドクターブレード１２ｄとにより構成される。
【００２４】
第３色目の印刷ユニット１３は、インキパン１３ｃ内に貯留するインキに接触して回転する版胴１３ａと、該版胴１３ａに対向圧接回転する圧胴１３ｂと、版胴１３ａに周接するドクターブレード１３ｄとにより構成される。
【００２５】
上記第１色〜第３色目の印刷ユニット１１、１２、１３のうちのいずれか１つ乃至全ての印刷ユニットのインキパン内には、通常のグラビア印刷インキ（液状インキ若しくはペースト状インキ）、又は発泡性インキ（液状インキ若しくはペースト状インキであって、塩化ビニル系印刷インキ又は塩化ビニル系ペースト中に加熱発泡剤を添加したもの）を貯留する。
【００２６】
あるいは、上記第１色〜第３色目の印刷ユニット１１、１２、１３のうち、いずれか１つ乃至２つの印刷ユニットのインキパン内には、通常のグラビア印刷インキを貯留し、他の印刷ユニット（例えば第３色目の印刷ユニット）のインキパン内には、発泡性インキを貯留する。
【００２７】
そして、上記第１印刷装置Ａ1 にて、ウエブシートに対してグラビア印刷インキによる絵柄、彩色パターン又は発泡性インキによる発泡性パターンのみが印刷されるか、又は絵柄、彩色パターンと発泡性パターンとが印刷形成される。なお発泡性インキ以外に必要に応じて発泡抑制インキを使用してもよい。
【００２８】
上記第１印刷装置Ａ1 のシートフィーダユニットＡ1aより巻き出された長尺状のウエブシートｗ1 は、第１色目から第３色目の印刷ユニット１１、１２、１３の各版胴と圧胴との間に導入されて所定の印圧が掛けられ、所定の絵柄、彩色の印刷パターン、及び所定の発泡性インキパターンが印刷され、その後、ウエブシートｗ1 は、複数本の所定のガイドロールにガイドされて、アキューム装置Ｂに導入される。なお、最終印刷ユニット（第３色目の印刷ユニット１３）とアキューム装置Ｂとの間のウエブシート送行路上に加熱装置（図示せず）を設置して、印刷インキ、発泡性インキの予備乾燥を行うようにしてもよい。
【００２９】
［アキューム装置Ｂ］
アキューム装置Ｂは、水平方向に等間隔に配置した複数本の固定ガイドロール３１と、所定の指令信号に基づいて上下方向に駆動移動可能な複数本の可動ガイドロール３２とを備え、この可動ガイドロール３２は固定ガイドロール３１の間に互い違いに互い違いに嵌入し、また上方に上昇移動できるようになっている。なお、アキューム装置Ｂを使用しない場合は、可動ガイドロール３２を固定ガイドロール３１の下方にて固定保持されている。
【００３０】
図１に示した状態では、第１印刷装置Ａ1 にて印刷されたウエブシートｗ1 はアキューム装置Ｂを経由して加熱装置Ｃ（加工装置）側に、第２印刷装置Ａ2 にて印刷されたウエブシートｗ2 は補助デリバリ装置側にそれぞれ送り出され、上記アキューム装置Ｂに導入された後のウエブシートｗ1 は、複数本の所定のガイドロールにガイドされて加熱装置Ｃに導入される。
【００３１】
［加熱装置Ｃ］
加熱装置Ｃは、電熱ヒーターなど加熱ユニットを備え、例えば、上下に対向する加熱ユニット４１、４２を備える。そして、上記加熱ユニットの近接空間をウエブシートｗ1 が送行通過することにより、該シートｗ1 に印刷されている発泡性インキが加熱発泡されて発泡パターンが形成される。なお、加熱温度は、例えば、１００℃以上であって１３０〜２１０℃程度に設定されている。
【００３２】
発泡パターンの形成されたウエブシートｗ1 は、その後、複数本の所定のガイドロールにガイドされてエンボス装置Ｅに導入される。
【００３３】
［エンボス装置Ｅ］
エンボス装置Ｅは、加熱ユニット５１と、所定の形状パターンが刻設形成されたエンボスロール５３と、該ロール５３に対向配置されたプレスロール５４（圧ロール）とから構成され、加熱されたウエブシートｗ1 は、このロール５３、５４間に導入されて、所定のエンボス圧によりシートｗ1 のシート面が所定のエンボスパターンにエンボス成形される。なお、加熱ユニット５１は、エンボス予備加熱用若しくはエンボス加熱用として使用される。また、エンボスロール５３の表面は、例えば、１１０℃以上、１９０〜１９５℃程度まで加熱することによって、エンボス操作を行う。
【００３４】
［主デリバリ装置Ｆ］
このようにして、絵柄、彩色などが印刷され、発泡パターンが形成され、エンボスパターンが成形された後のウエブシートｗ1 は、主デリバリ装置Ｆの巻き取りユニットＦa によって巻き取られる。
【００３５】
上記ウエブシートｗ1 の送行動作は、第１印刷装置Ａ1 のシートフィード装置Ａ1aと第１色目の印刷ユニット１１との間にインフィードロールＩ1 （押圧対向する１対の駆動回転ロール）を備え、エンボス装置Ｅと主デリバリ装置Ｆとの間に、アウトフィードロールＯm （メインアウトフィードロール）を備えることにより行うものである。
【００３６】
なお、上記ウエブシートｗ1 が送行通過する途中におけるそれぞれ第１印刷装置Ａ1 、加熱装置Ｃ、エンボス装置Ｅ、主デリバリ装置Ｆには、該ウエブシートｗ1 が所定の張力で送行するように、その送行張力をリアルタイムで検出して所定の張力に自動調整制御するためのテンション調整ロール（図示せず）が設置されるものである。
【００３７】
［本稼働工程の経路］
本発明装置において、本稼働工程のシートの印刷・発泡・エンボス加工経路とは、第１印刷装置Ａ1 、又は第２印刷装置Ａ2 により印刷されるウエブシートｗ1 、ｗ2 のうちの一方のウエブシートが、アキューム装置Ｂ、加熱装置Ｃ、エンボス装置Ｅ、主デリバリ装置Ｆの送行経路に導入されて送行され、所定の印刷・発泡・エンボス成形シートが製造される経路である。
【００３８】
例えば、図１に示すように、第１印刷装置Ａ1 によって印刷されるウエブシートｗ1 が、アキューム装置Ｂ、加熱装置Ｃ、エンボス装置Ｅ、主デリバリ装置Ｆの送行経路に導入されて送行されて、シートｗ1 が所定の印刷・発泡・エンボス加工されて所定の印刷・発泡・エンボス成形シートが製造される経路である。
【００３９】
［第２印刷装置Ａ2 ］
次に、第２印刷装置Ａ2 は、長尺状のウエブシートｗ2 を巻き出すシートフィーダユニットＡ2aと、該シートフィーダユニットＡ2aより巻き出された長尺状のウエブシートｗ2 （紙シート、プラスチックフィルム・シート、金属箔シート、又はこれらのうちいずれかの積層による複合シート）に、印刷パターン、印刷彩色を施すための１乃至２以上複数の印刷ユニットを備え、例えば、第１色目の印刷ユニット２１、第２色目の印刷ユニット２２、第３色目の印刷ユニット２３とにより構成される。
【００４０】
［第２印刷装置Ａ2 の各印刷ユニットについて］
上記第２印刷装置Ａ2 は、第１印刷装置Ａ1 と同様に、例えばグラビア印刷方式の印刷装置であり、第１色目の印刷ユニット２１は、インキパン２１ｃ内に貯留するインキに接触して回転する版胴２１ａと、該版胴２１ａに対向圧接回転する圧胴２１ｂと、版胴２１ａに周接するドクターブレード２１ｄとにより構成され、第２色目の印刷ユニット２２は、インキパン２２ｃ内に貯留するインキに接触して回転する版胴２２ａと、該版胴２２ａに対向圧接回転する圧胴２２ｂと、版胴２２ａに周接するドクターブレード２２ｄとにより構成され、第３色目の印刷ユニット２３は、インキパン２３ｃ内に貯留するインキに接触して回転する版胴２３ａと、該版胴２３ａに対向圧接回転する圧胴２３ｂと、版胴２３ａに周接するドクターブレード２３ｄとにより構成される。
【００４１】
そして、上記第１色〜第３色目の印刷ユニット２１、２２、２３のうちのいずれか１つの印刷ユニットのインキパン内には、発泡性インキ（液状インキ、若しくはペースト状インキであって、塩化ビニル系印刷インキ又は塩化ビニル系ペースト中に加熱発泡剤を添加したもの）を貯留し、その他の印刷ユニットのインキパン内にはグラビア印刷インキ（液状インキ、若しくはペースト状インキ）を貯留することにより、発泡性インキによる印刷パターン（発泡性パターン）と、グラビア印刷インキによる印刷パターン（絵柄、彩色パターン）とが、同じ印刷ユニットにて印刷形成される。なお必要に応じて、発泡性インキ以外に発泡抑制インキを使用してもよい。
【００４２】
［補助デリバリ装置Ｄ］
上記第２印刷装置Ａ2 のシートフィーダユニットＡ2aより巻き出された長尺状のウエブシートｗ2 は、第１色目から第３色目の印刷ユニット２１、２２、２３の各版胴と圧胴との間に導入されて所定の印圧が掛けられ、所定の絵柄、彩色の印刷パターン（及び必要に応じて所定の発泡性インキパターン）が印刷され、その後、ウエブシートｗ2 は、複数本の所定のガイドロールにガイドされて、補助デリバリ装置Ｄに導入されて巻き取られる。なお、この補助デリバリ装置Ｄによって巻き取られるウエブシートｗ2 は、試し印刷されるウエブシートである。
【００４３】
上記ウエブシートｗ2 の送行動作は、第２印刷装置Ａ2 のシートフィード装置Ａ2aと第１色目の印刷ユニット２１との間にインフィードロールＩ2 （押圧対向する１対の駆動回転ロール）を備え、補助デリバリ装置Ｄの直前に、アウトフィードロールＯs （サブアウトフィードロール）を備えることにより行う。
【００４４】
なお、上記ウエブシートｗ2 が送行通過する途中におけるそれぞれ第２印刷装置Ａ2 と補助デリバリ装置Ｄには、該ウエブシートｗ2 が所定の張力で送行するように、その送行張力をリアルタイムで検出して所定の張力に自動調整制御するためのテンション調整ロール（図示せず）が設置されるものである。
【００４５】
［試し印刷工程の経路］
本発明装置において、試し印刷工程の経路とは、第１印刷装置Ａ1 、又は第２印刷装置Ａ2 により印刷されるウエブシートｗ1 、ｗ2 のうちの一方のウエブシートが、アキューム装置Ｂ、加熱装置Ｃ、エンボス装置Ｅ、主デリバリ装置Ｆの送行経路に導入されずに補助デリバリ装置Ｄによって直接巻き取られる経路であり、印刷仕様に基づく所定の印刷はされるものの、ウエブシートに発泡とエンボス成形がされない経路である。
【００４６】
例えば、同図１に示すように、第２印刷装置Ａ2 によって印刷されるウエブシートｗ2 が、アキューム装置Ｂ、加熱装置Ｃ、エンボス装置Ｅ、主デリバリ装置Ｆの送行経路に導入されずに、補助デリバリ装置Ｄによって直接巻き取られる経路であり、印刷仕様に基づく所定の印刷はされるものの、発泡とエンボス成形がされない経路である。
【００４７】
［第１印刷装置Ａ1 の停止動作について］
上記第１印刷装置Ａ1 のシートフィードユニットＡ1aから巻き出されて、主デリバリ装置Ｆの巻き取りユニットＦa まで送行する全てのウエブシートｗ1 に対して、絵柄、彩色及び発泡性インキの印刷形成、加熱発泡、エンボス成形を終了した後は、第１印刷装置Ａ1 のみを、そのインフィードロールＩ1 の駆動回転と各色の印刷ユニット１１、１２、１３の駆動回転を停止させることによって停止させ、第１印刷装置Ａ1 を送行していたウエブシートｗ1 の送行を停止させる。
【００４８】
そして、その第１印刷装置Ａ1 の停止している間も、加熱装置Ｃ、及びエンボス装置Ｅ、及び主デリバリ装置ＦのアウトフィードロールＯm 、及び巻き取りユニットＦa はそれぞれ駆動動作を継続し、アキューム装置Ｂの固定ガイドロール３１と可動ガイドロール３２とによって折り返し状態にジグザグ状に蓄積されているウエブシートｗ1 は、その可動ガイドロール３２の下降動作によって、それより前方への送行が継続され、主デリバリ装置Ｆの巻き取りユニットＦa によって巻き取られながら、加熱発泡及びエンボス成形されて印刷・発泡・エンボス成形シートが継続形成される。
【００４９】
［第２印刷装置Ａ2 の停止動作について］
上記第２印刷装置Ａ2 によって印刷され、補助デリバリ装置Ｄにて巻き取られて試し印刷されるウエブシートｗ2 は、所定の印刷仕様（印刷色濃度、色調、印刷見当整合状態など）に適応する程度の印刷状態となったところで、試し印刷を終了するために、第２印刷装置Ａ2 及び補助デリバリ装置Ｄなどの回転を停止させ、ウエブシートｗ2 の送行を一旦停止させて待機させる。
【００５０】
［ウエブシート導入切り換え装置Ｇ及びその動作について］
前記第１印刷装置Ａ1 の最終の印刷ユニット（後端部の第３色目の印刷ユニット１３）の後端部におけるウエブシートｗ1 の送行路と、前記第２印刷装置Ａ2 の補助デリバリ装置Ｄの近傍のウエブシートｗ2 の送行路とが互いに接近する合流地点に、導入切り換え装置Ｇを備えている。
【００５１】
ウエブシート導入切り換え装置Ｇは、少なくともそのウエブシートｗ1 、ｗ2 の送行路上にバキュームチャック付きの切断テーブル（後述）を備えている。
【００５２】
前記切り換え装置Ｇの切断テーブルは、前記第１印刷装置Ａ1 の最終印刷ユニット１３を通過したところで停止しているウエブシートｗ1 を切断でき、また、第２印刷装置Ａ2 の最終印刷ユニット２３から補助デリバリ装置Ｄに巻き取られる手前を通過したところで停止しているウエブシートｗ2 を切断できるようになっている。
【００５３】
そして、第２印刷装置Ａ2 によって試し印刷の終了したウエブシートｗ2 は、その補助デリバリ装置Ｄに巻き取られる手前を通過したところで切断された第２印刷装置Ａ2 側のシートｗ2 の前端部を、本稼働印刷・加熱発泡・エンボス加工成形加工側に導入されていたウエブシートｗ1 の第１印刷装置Ａ1 の後端部で切断されたアキューム装置Ｂ側のシート後端部に、接着テープなどで接続する。
【００５４】
これによって、第２印刷装置Ａ2 によって試し印刷の終了したウエブシートｗ2 は、加熱装置Ｃ及びエンボス装置Ｅ側の本稼働工程の経路に導入されて加工され、シートが印刷・発泡・エンボス加工される。
【００５５】
そして、第１印刷装置Ａ1 の後端部で切断されたウエブシートｗ1 の該第１印刷装置Ａ1 側のシート後端部を、補助デリバリ装置Ｄに巻き取られる手前を通過したところで切断された補助デリバリ装置Ｄ側の後端部に、接着テープなどで接続する。
【００５６】
これによって、本稼働工程にあったウエブシートｗ1 は、補助デリバリ装置Ｄに巻き取られる試し印刷工程の経路に導入されて、ウエブシートの導入切り換え動作を終了する。
【００５７】
［本発明装置の一実施例における具体的構造及び動作］
本発明装置の具体的構造及び動作を、図２〜図５に示す一実施例に従って以下に説明する。
【００５８】
図２は、グラビア印刷方式による第１印刷装置Ａ1 の全部と、加熱装置Ｃの前半部分と、補助デリバリ装置Ｄと、導入切り換え装置Ｇの全体とを示す側面図である。
【００５９】
［第１印刷装置Ａ1 とインフィードとアウトフィード］
ウエブシートｗ1 は、第１印刷装置Ａ1 の前後にそれぞれ設けたインフィードロール２（若しくは図１に示すインフィードロールＩ1 ）とアウトフィードロール３とによる所定の速度のニップ回転による送り出しにより、フィーダユニットＡ1aに取り付けたロールシート１から前方（矢印方向）に所定送行速度で繰り出される。
【００６０】
ウエブシートｗ1 は、各ガイドロールにガイドされながら、第１色印刷ユニット１１、第２印刷ユニット１２、第３印刷ユニット１３の各々版胴１１ａ、１２ａ、１３ａと圧胴１１ｂ、１２ｂ、１３ｂとの間に順に導入されて、版胴側のウエブシートｗ1 表面に、グラビア印刷インキによる適宜色調の絵柄パターンや彩色が印刷され、また、透明乃至適宜色調に着色された発泡性インキによる適宜パターンの発泡性パターンが印刷される。
【００６１】
グラビア印刷インキや発泡性インキは、各々版胴１１ａ、１２ａ、１３ａの周面に付着して、それぞれドクターブレード１１ｄ、１２ｄ、１３ｄによって掻き取られながら、版胴周面に形成されているグラビアセル（画線凹部）内にインキを保持しつつ、ウエブシートｗ1 の表面に転移して印刷される。
【００６２】
アウトフィードロール３を通過した後のウエブシートｗ1 は、導入切り換え装置Ｇに導入され、その後は、後述するアキューム装置Ｂを介して、加熱装置Ｃ（加熱用チャンバー）に導入されて、印刷された発泡性インキが加熱発泡して膨張し、印刷柄の形成されたウエブシートｗ1 の表面に凹凸形状パターンなど発泡パターンが形成される。
【００６３】
［加熱装置Ｃ］
加熱装置Ｃは、加熱用チャンバー４０内にウエブシートｗ1 の送行方向に沿って加熱ヒーターや加熱ブロアーなどの加熱源４１が１乃至複数配置され、また、送行するウエブシートｗ1 を保持ガイドする複数本のガイドロール４３を必要応じて備えている。
【００６４】
［導入切り換え装置Ｇ］
図２に示すように、導入切り換え装置Ｇは、上側から順に、ガイドロール１５ａ、１５ｂ、１５ｃと、ガイドロール１８ａ、１８ｂ、１８ｃとを備え、ガイドロール１５ａと１５ｂとの間に設置したカッティングテーブル１６と、ガイドロール１５ｃと１８ａとの間に設置したカッティングテーブル１７と、ガイドロール１８ｂと１８ｃとの間に設置したカッティングテーブル１９とを備えている。
【００６５】
該導入切り換え装置Ｇでは、ウエブシートｗ1 の送行方向を加熱装置Ｃ方向、又は補助デリバリ装置Ｄ方向にそれぞれ切り換え可能であり、図２に示した状態では、第１印刷装置Ａ1 のアウトフィードロール３を通過したウエブシートｗ1 が、ガイドロール１５ａ、１５ｂにガイドされて前記加熱装置Ｃ方向に送行される。
【００６６】
図３は、第２印刷装置Ａ2 の全体と、アキューム装置Ｂの全体と、加熱装置Ｃの前端部分とを示す側面図である。
【００６７】
［アキューム装置Ｂ］
前記アウトフィードロール３を通過して導入切り換え装置Ｇに導入されたウエブシートｗ1 は、加熱装置Ｃ（加熱用チャンバー）に導入される前に、アキューム装置Ｂに導入される。
【００６８】
アキューム装置Ｂは、定位置に水平方向に自由回転可能に軸支した複数の固定ガイドロール３１と、駆動モーター、エアシリンダーなどの駆動源により上下方向に昇降移動動作可能な水平フレーム３３に自由回転可能に軸支した複数の可動ガイドロール３２とを互い違いの関係に配置したものである。そして、固定ガイドロール３１の下方には可動ガイドロール３２と対向する位置に補助ガイドロール３４が必要に応じて設けられている。なお、アキューム装置Ｂの可動ガイドロール３２は、固定ガイドロール３１の下方まで降下させ、ここで停止固定させておくことができ、例えば、アキューム装置Ｂを必要としない場合は、固定ガイドロール３１と固定ガイドロール３１の下方まで降下させた可動ガイドロール３２との間に、ウエブシートｗ1 、ｗ2 を直線状に導入して通常のガイドロールとして使用する。
【００６９】
ウエブシートｗ1 は、このアキューム装置Ｂの前記固定ガイドロール３１の下周面と可動ガイドロール３２の上周面とに順に導入され、ジグザグ状にガイドされて所定長さ分だけストックされる。
【００７０】
このアキューム装置Ｂにも互いに対向する一対の駆動する回転ロール（ニップロール）によるインフィードロール３５と、同じくアウトフィードロール３６とを備え、両ロール３５、３６は、同一回転速度若しくは異なる回転速度による速度制御の基で、両ロールを同時に駆動回転させたり、いずれか一方を停止させたりしてウエブシート（この場合は、ウエブシートｗ1 ）を送行動作させ、アキューム装置Ｂ内に蓄積されているウエブシート量（長さ）を調整できるようになっている。
【００７１】
図４は、加熱装置Ｃの後半部分図と、エンボス装置Ｅの全体図を示す側面図である。
【００７２】
加熱装置Ｃ内に導入されたウエブシートｗ1 は、ベタ印刷（全面印刷）若しくはパターン印刷された発泡性インキが、上部加熱源４１（又は上部加熱源４１、下部加熱源４２）にて加熱されて発泡し、発泡膨張した発泡層が形成され、その後、ウエブシートｗ1 は、所定のガイドロールにガイドされて、エンボス装置Ｅに導入される。
【００７３】
［エンボス装置Ｅ］
エンボス装置Ｅは、ウエブシートｗ1 の導入される前段部分に、加熱ヒーターあるいは加熱ブロアなどによる加熱ユニット５１を備え、加熱ユニット５１にて加熱したウエブシートｗ1 にエンボスを施すエンボスユニット５２を備える。
【００７４】
エンボスユニット５２は、エンボスパターンの凹凸型を周面に刻設したエンボスロール５３（型ロール）と、それに対向するプレスロール５４（圧ロール）とを備え、また必要に応じて、エンボスロール５３側にはウエブシートの巻き付け迂回用のガイドロール５５、プレスロール５４側には冷却ロール５６を備えている。なお、前記加熱ユニット５１が、エンボスユニット５２の上側に近接して設けられている場合は、交換時にエンボスロール５３やプレスロール５４などを素早く取り付け取り外しできるように、駆動手段によって上下方向に移動可能であってもよい。
【００７５】
エンボス装置Ｅに導入されたウエブシートｗ1 は、適宜なエンボス型の形成されたエンボスロール５３とプレスロール５４との間で加圧エンボスされて、ウエブシートｗ1 には、前段の印刷装置にて印刷された絵柄や彩色、あるいは発泡性インキにより発泡した発泡パターンや発泡層に同調（整合）した（又は同調しない）、又は関連する（又は関連しない）適宜なエンボスパターンが形成される。
【００７６】
このようにして、絵柄、彩色の印刷層、発泡パターンや発泡層、エンボスパターンが形成されたウエブシートｗ1 は、最終的に主デリバリ装置Ｆ側に導入されて、巻き取りシートＦａ（本発明装置による製造シート）として巻き取られる。
【００７７】
図５は、主デリバリ装置Ｆの全体側面図である。
【００７８】
［主デリバリ装置Ｆ］
主デリバリ装置Ｆでは、絵柄、彩色の印刷層、発泡パターンや発泡層、エンボスパターンが形成されたウエブシートｗ1 が巻き取り収容される。
【００７９】
主デリバリ装置Ｆは、ウエブシートｗ1 の最終的な巻き取り送行速度と、その送行張力を調整するための主アウトフィードロールＯｍや、複数の送行ガイドロール群からなる最終送行張力調整ユニット６１と、巻き取りユニット６２とを備える。
【００８０】
最終的な巻き取り送行速度と、その送行張力を調整されて最終送行張力調整ロールユニット６１より送り出されたウエブシートｗ1 は、巻き取りユニット６２に取り付けた駆動回転する巻き取り軸６３により巻き取られる。なお、巻き取り軸６３は、旋回する回転軸６４を中心に駆動回転する放射状に取り付けた２個乃至複数個のアーム６５に取り付けられ、一方の巻き取り軸６３により巻き取った後に、直ちにアーム６５を回転させて他方の巻き取り軸６３により巻き取るようにする。
【００８１】
［導入切り換え装置の一実施例における具体的構造及び動作］
本発明装置における導入切り換え装置の具体的構造及び動作を、図１及び図６〜図７に示す一実施例に従って以下に説明する。
【００８２】
［本稼働工程のウエブシートｗ1 と試し印刷工程のウエブシートｗ2 ］
図６（ａ）は、第１印刷装置Ａ1 にて印刷され、アキューム装置Ｂを介して、加熱装置Ｃ側に導入されて、印刷、発泡、エンボスシートとして連続的に製造されて、導入切り換え装置Ｇを通過送行している状態の本稼働工程のウエブシートｗ1 （図１参照）と、第２印刷装置Ａ2 にて試し印刷が終了して補助デリバリ装置Ｄ側に端部が巻き取られ送行を停止した状態の試し印刷工程終了のウエブシートｗ2 を示している。なお本稼働工程と試し印刷工程とを同時進行した時には、一般的には、試し印刷工程の方が短時間でその工程を終了する場合が多い。
【００８３】
［導入切り換え装置Ｇの詳細］
導入切り換え装置Ｇは、上側から順に、ガイドロール１５ａ、１５ｂ、１５ｃと、ガイドロール１８ａ、１８ｂ、１８ｃとを備え、ガイドロール１５ａと１５ｂとの間に設置したバキュームチャック付きのカッティングテーブル１６（中央にカッテング溝部１６ａ、その両側にバキューム吸引孔１６ｂ、１６ｂを備える）と、ガイドロール１５ｃと１８ａとの間に設置したバキュームチャック付きのカッティングテーブル１７（中央にカッテング溝部１７ａ、その両側にバキューム吸引孔１７ｂ、１７ｂを備える）と、ガイドロール１８ｂと１８ｃとの間に設置した上記カッティングテーブル１６、１７と同様のカッティングテーブル１９（若しくは支軸１９ａに支持されたガイドロール１９ｂと、カッティングプレート１９ｃを備えるカッティングテーブル１９）を備えている。なお、７、８は、それぞれガイドロール１５ｄ、１８ｄに対して押圧動作するシート固定部材である。
【００８４】
該導入切り換え装置Ｇでは、第１印刷装置Ａ1 からのウエブシートｗ1 が、ガイドロール１５ａ、１５ｂ、１５ｄにガイドされて、アキューム装置Ｂ及び前記加熱装置Ｃ方向に送行し、他方、第２印刷装置Ａ2 からのウエブシートｗ2 が、ガイドロール１８ｄ、１８ｂ、１８ｃ（若しくは１９ｂ、１８ｃ）にガイドされて、補助デリバリ装置Ｄ方向に送行している。
【００８５】
［シートｗ2 の試し印刷終了段階］
まず、図６（ａ）に示すように、試し印刷経路にて第２印刷装置Ａ2 （インフィードロールＩ2 又はインフィードロール４、各色印刷ユニット、アウトフィードロール５など図１、図３参照）により印刷インキのみによる試し印刷送行がなされているウエブシートｗ2 を、試し印刷工程が終了した段階で、第２印刷装置Ａ2 の駆動回転や印圧の印加を停止解除させることにより送行を停止させる。
【００８６】
［試し印刷終了段階でのシートｗ2 の切断操作］
続いて、シート固定部材８が、ガイドロール１８ｄ周面に押圧動作して固定されて、続いて、ウエブシートｗ2 をカッティングテーブル１９に沿ってカッター６ａにより切断し、切断されたウエブシートｗ2 の印刷装置側の端部を、点線のようにカッティングテーブル１７上に重ね合わせ、端部を一方のバキューム吸引孔１７ｂによりバキュームチャッキングして待機する。
【００８７】
［シートｗ1 の本稼働終了段階］
次に、図６（ｂ）に示すように、本稼働経路にて印刷、発泡、エンボス加工による本稼働送行がなされているウエブシートｗ1 を、所定の印刷、発泡、エンボス加工（本稼働）が終了した段階で、第１印刷装置Ａ1 （インフィードロールＩ1 又はインフィードロール２、各色印刷ユニット、アウトフィードロール３など図１、図２参照）、及びアキューム装置Ｂのインフィードロール３５（図３参照）の駆動回転や印圧の印加を停止解除させることにより送行を停止させる。
【００８８】
この間、アキューム装置Ｂのアウトフィードロール３６は、継続回転し、且つ水平フレーム３３はウエブシートｗ1 の送行速度に対応して下降動作し、アキューム装置Ｂ以後のウエブシートｗ1 は加熱装置Ｃ側に送行を継続する。
【００８９】
［本稼働終了段階でのウエブシートｗ1 の切断操作］
ウエブシートｗ1 の送行停止後、シート固定部材７は、ガイドロール１５ｄ周面に押圧動作してウエブシートｗ1 を固定させ、カッティングテーブル１６がバキュームチャッキング動作した後にカッター刃６ａによりウエブシートｗ1 をカッティング溝１６ａに沿って切断し、切断された前記ウエブシートｗ1 のアキューム装置Ｂ側の端部を、カッティングテーブル１７上に重ね合わせ、バキュームチャッキングする。
【００９０】
［切断したウエブシートｗ1 、ｗ2 両端部接続による導入切り換え操作］
続いて、図６（ｃ）に示すように、カッティングテーブル１７上にバキュームチャッキングしたそれぞれ端部を接着テープ８などにて接続した後、カッティングテーブル１７のバキュームチャッキング動作、及びシート固定部材７、８の押圧動作を解除する。
【００９１】
続いて、図６（ｄ）に示すように、第２印刷装置Ａ2 （インフィードロールＩ2 又はインフィードロール４、各色印刷ユニット、アウトフィードロール５など図１、図３参照）を稼働回転させて、ウエブシートｗ2 をアキューム装置Ｂ及び加熱装置Ｃ側に導入する。これによりウエブシートｗ2 の送行経路は、本稼働工程の経路に切り換わる。
【００９２】
他方、図６（ｃ）に示すように、カッティングテーブル１６上にあるカッティングされた前記ウエブシートｗ1 の印刷装置側の端部は、図６（ｄ）に示すように、カッティングテーブル１６に接着テープ８をその粘着材面を表側にしてバキュームチャッキングした後、その接着テープ８の粘着材面に、その端部を重ね合わせて接着し、前記カッティングテーブル１９上にて切断された補助デリバリ装置Ｄ側の端部と接続されて、第１印刷装置Ａ1 のウエブシートｗ1 は補助デリバリ装置Ｄ側に接続されて試し印刷が可能な経路に切り換わる。
【００９３】
その際、本稼働工程にて送行中のウエブシートｗ2 の送行に対して支障が生じないように、ガイドロール１８ｂ（若しくはガイドロール１５ａとガイドロール１８ｂの両方）を矢印方向に突出移動させるなどしてウエブシートｗ1 と本稼働送行中のウエブシートｗ2 とが互いに接触しないように回避させる。
【００９４】
［ウエブシートｗ2 の本稼働とウエブシートｗ1 の試し印刷］
このようにして、上記ウエブシートｗ2 は、図６（ｄ）に示すように本稼働工程の経路に切り換わり、シート固定部材７、８によるシート固定動作を解除した後、第２印刷装置Ａ2 の駆動回転、印圧の印加によって印刷されて、加熱発泡、エンボス形成される本稼働送行に移る。
【００９５】
また、試し印刷工程の経路に切り換わった他方のウエブシートｗ1 は、図７（ａ）に示すように、第１印刷装置Ａ1 （インフィードロールＩ1 又はインフィードロール２、各色印刷ユニット、アウトフィードロール３など図１、図２参照）を稼働回転させて、補助デリバリ装置Ｄにて巻き取り動作することにより、各印刷ユニットによる印刷インキを用いた試し印刷送行に移る。
【００９６】
このようにして、ウエブシートｗ1 、ｗ2 の導入切り換え操作を終了するものであるが、この導入切り換え操作中においても、アキューム装置Ｂにストックされているウエブシートｗ1 は、加熱装置Ｃ、エンボス装置Ｄ、主デリバリ装置Ｆへの送行を継続して、加熱発泡、エンボス成形を継続しているものである。
【００９７】
［シートｗ1 の試し印刷終了段階］
図７（ｂ）は、第２印刷装置Ａ2 にて印刷され、アキューム装置Ｂを介して、加熱装置Ｃ側に導入されて、印刷、発泡、エンボスシートとして連続的に製造されて、導入切り換え装置Ｇを通過送行している状態の本稼働工程のウエブシートｗ2 （図１参照）と、第１印刷装置Ａ1 にて試し印刷が終了して補助デリバリ装置Ｄ側に端部が巻き取られ送行を停止した状態の試し印刷工程終了のウエブシートｗ1 を示している。
【００９８】
同図７（ｂ）に示すように、試し印刷経路にて第１印刷装置Ａ1 により印刷インキのみによる試し印刷送行がなされているウエブシートｗ1 を、試し印刷工程が終了した段階で、第１印刷装置Ａ1 の駆動回転や印圧の印加を停止解除させることにより送行を停止させる。
【００９９】
［試し印刷終了段階でのシートｗ1 の切断操作］
続いて同図７（ｂ）に示すように、カッティングテーブル１６上に接着テープ９を、その粘着面を表側にして重ね合わせバキューム吸引孔１６ｂにてバキュームチャッキング動作して固定する。
【０１００】
続いて、同図７（ｂ）に示すように、停止中のウエブシートｗ1 をカッティングテーブル１６との対向領域相当部に沿ってカッター刃６ｂにて切断し、印刷装置側のそのウエブシートｗ1 の切断された一端部を、前記固定された接着テープ９の粘着面に接着して待機する。
【０１０１】
［シートｗ2 の本稼働終了段階］
次に、他方、同図７（ｂ）に示すように、本稼働経路にて第２印刷装置Ａ2 により印刷、発泡、エンボス成形の本稼働送行がなされているウエブシートｗ2 を本稼働工程の終了した段階で、第２印刷装置Ａ2 とアキューム装置Ｂのインフィードロール３５の駆動回転や印圧の印加を停止解除させることにより送行を停止させる。
【０１０２】
この間、アキューム装置Ｂのアウトフィードロール３６は、継続回転し、且つ水平フレーム３３はウエブシートｗ2 の送行速度に対応して下降動作し、アキューム装置Ｂ以後のウエブシートｗ2 は加熱装置Ｃ側に送行を継続する。
【０１０３】
［本稼働終了段階でのウエブシートｗ2 の切断操作］
図７（ｂ）に示すように、ウエブシートｗ2 の送行停止後は、シート固定部材７、８が、ガイドロール１５ｄ、１８ｄ周面に押圧動作して、ウエブシートｗ2 を固定させ、そして、カッティングテーブル１７がバキュームチャッキング動作する。そして、カッティングテーブル１７上にキュームチャッキングしたウエブシートｗ2 をカッター刃６ｃによりカッティング溝１７ａに沿って切断する。
【０１０４】
［切断したウエブシートｗ1 、ｗ2 両端部接続による導入切り換え操作］
続いて、図７（ｃ）に示すように、カッティングテーブル１７上にキュームチャッキングされて切断された前記ウエブシートｗ2 のアキューム装置Ｂ側の端部は、カッティングテーブル１６上にバキュームチャッキングされている前記接着テープ９の粘着面に重ね合わせて接着することにより、先に接着テープ９に接着されているウエブシートｗ1 と接続されて、加熱装置Ｃ側の本稼働経路に切り換わる。なお、その際、突出動作しているガイドロール１８ｂ、又はガイドロール１５ａ、ガイドロール１８ｂは、元の位置に復帰動作させる。
【０１０５】
そして、図７（ｄ）に示すように、ウエブシートｗ1 は、シート固定部材７が直ちに矢印方向に復帰動作して、シート押圧及びシート固定を解除して、第１印刷装置Ａ1 （インフィードロールＩ1 又はインフィードロール２、各色印刷ユニット、アウトフィードロール３など図１、図２参照）を稼働回転させて、第１印刷装置Ａ1 の駆動回転、印圧の印加によって印刷されて、加熱発泡、エンボス形成される本稼働送行に移る。
【０１０６】
他方、図７（ｃ）に示すように、前記カッティングテーブル１７上にバキュームチャッキング（若しくはバキュームチャッキング後にチャッキング解除）されている前記ウエブシートｗ2 の印刷装置側の端部は、カッティングテーブル１６の対向領域相当部にて切断された前記ウエブシートｗ1 の補助デリバリ装置Ｄ側の端部に接着テープなどにて接続されて、これによって該第２印刷装置Ａ2 により印刷される前記ウエブシートｗ2 は補助デリバリ装置Ｄ側に接続されて、試し印刷が可能な経路に切り換わる。
【０１０７】
そして、図７（ｄ）に示すように、ウエブシートｗ2 は、シート固定部材８が直ちに矢印方向に復帰動作して、シート押圧及びシート固定を解除して、第２印刷装置Ａ2 （インフィードロールＩ2 又はインフィードロール４、各色印刷ユニット、アウトフィードロール５など図１、図３参照）を稼働回転させて、第２印刷装置Ａ2 の駆動回転、印圧の印加によって印刷されて、試し印刷送行に移る。
【０１０８】
このようにして、ウエブシートｗ1 、ｗ2 の導入切り換え操作を終了するものであるが、この導入切り換え操作中においても、アキューム装置Ｂにストックされているウエブシートｗ2 は、加熱装置Ｃ、エンボス装置Ｄ、主デリバリ装置Ｆへの送行を継続して、加熱発泡、エンボス成形を継続しているものである。
【０１０９】
本発明装置において、第１印刷装置Ａ1 又はＡ2 にて印刷し、加熱装置Ｃにて加熱発泡させた後のウエブシートｗ1 又はウエブシートｗ2 をエンボス成形するエンボス装置Ｅを中心に、その実施例を、図８（ａ）〜（ｂ）のエンボス装置Ｅの側面図に従って説明する。
【０１１０】
図８（ａ）に示すように、第１印刷装置Ａ1 又はＡ2 にて印刷し、加熱装置Ｃにて加熱発泡させた後のウエブシートｗ1 又はウエブシートｗ2 （以下、単にウエブシートｗと称する）をエンボス装置Ｅに導入する。
【０１１１】
ウエブシートｗは、まずエンボス装置Ｅの加熱ユニット５１を通過して加熱されて、エンボスユニット５２のエンボスロール５３とそれと対向するプレスロール５４との間に導入されて加圧エンボスされ、続いて、巻き込みロール５５によってエンボスロール５３の概略半周面に周接しながらエンボス成形を終了する。また、エンボスユニット５２には必要に応じて冷却ロール５６を設け、プレスロール５４に接触させて、該ロール５４を冷却するようにしてもよい。なお、冷却ロール５６は、そのロール５６本体内部に冷却水を循環送流させたものでもよいし、あるいは冷却水を循環貯留する貯留槽５６ａ内に浸漬させて冷却するようにしてもよい。
【０１１２】
続いて、エンボス成形されたウエブシートｗは、ガイドロール５５ａなどの所定のガイドロールにガイドされて送行し、最終的に主デリバリ装置Ｆによって、印刷、発泡、エンボス成形シートとして巻き取り製造される。
【０１１３】
ウエブシートｗが、導入切り換え操作を行うことによってウエブシートｗ1 ←→ウエブシートｗ2 に切り換えられる際、あるいはその他の必要な時に、そのウエブシートｗの送行を継続しながらでも、エンボス装置Ｅのエンボスロール５３の交換ができるようにすることが必要となる。
【０１１４】
そこで、エンボス装置Ｅの各ユニット（加熱ユニット５１、エンボスユニット５２）を、交換時に移動できるように可動式としてもよい。
【０１１５】
図８（ｂ）は、可動式の各ユニットを備えたエンボス装置Ｅにおける各ユニットの移動動作を説明する側面図である。
【０１１６】
加熱ユニット５１は、索体５１ａによって垂直方向への上下移動が可能となっている。
【０１１７】
エンボスロール５３は、中央部を回転軸５７ａにて軸支されたアーム５７（又はターレット）の一端部でエンボス作業中のエンボスロールを軸支する一方、他端部では使用を終了したエンボスロールを、次に使用するエンボスロールと交換することができ、それぞれ使用されたエンボスロールと、交換すべき新規なエンボスロールとを取り付け保持でき、回転軸５７ａを中心にアーム５７を旋回することにより、使用されたエンボスロールと交換すべき新規なエンボスロールとを所定位置に移動させて交換操作が行われる。
【０１１８】
前記エンボスロール５３は、支軸５８ａを中心に旋回可能なロール受部材５８によってストックでき、受部材５８が水平姿勢の時に２本のエンボスロール５３（そのうち１本は使用されたエンボスロール、他の１本は交換すべき新規なエンボスロール）をストックでき、支軸５８ａを中心に回転可能とすることにより、アーム５７の旋回において支障のない構造となっている。
【０１１９】
プレスロール５４は、回転軸５４ａを中心に揺動可能な揺動アームによってロール受部材５４ｂ上まで移動でき、また、元の位置に復帰できるようになっている。
【０１２０】
巻き込みロール５５は、回転軸５５ｂを中心に揺動可能な揺動アームによってガイドロール５５ａの上側まで移動でき、また、元の位置に復帰できるようになっている。
【０１２１】
冷却ロール５６は、回転軸５６ｂを中心に揺動可能な揺動アームによって上方に回避移動でき、また、元の位置に復帰できるようになっている。
【０１２２】
また、エンボスユニット５２には、前記巻き込みロール５５が回転軸５５ｂを中心に揺動してガイドロール５５ａの上側まで移動した際に、送行中のウエブシートｗに弛みが発生しないように、ガイドロール５５ａの後段に、上方に向かって付勢して上止点（定位置に）に当接停止し、且つ下方に向かって弾力性のあるダンサーロール５９（該ロール５９の下方両側に固定ガイドロール５９ａ、５９ｂを備える）を備えてその弛み発生を防止している。
【０１２３】
【発明の効果】
本発明のシート印刷・発泡・エンボス加工装置は、ウエブシートを、所定の色相、濃度、膜厚及び見当ずれのない正しい整合状態に印刷されるように試し印刷して適正な印刷パターンをウエブシート上に形成しながら、それと並行して試し印刷を終了した適正な印刷パターンの形成されたウエブシートに対して、発泡性インキの印刷（場合によっては発泡性インキの印刷は行わない）と、印刷された発泡性インキの加熱発泡やエンボス成形加工を連続的に行うことができる。
【０１２４】
これによって、本稼働中のウエブシート、特に加熱装置及びエンボス装置に導入されているウエブシートを停止せずに、連続して印刷加工と、必要に応じて発泡加工やエンボス加工を行って、建装材用の壁紙など印刷・エンボス加工されたシートあるいは印刷・発泡・エンボス加工されたシートを能率的に製造することが可能となり、また、従来のようにウエブシートに対する試し印刷のために加熱装置やエンボス成形装置の熱源を停止させることは必要が無くなり、これによって、試し印刷における熱源の停止と、本稼働における熱源の再動作の繰り返し動作による無駄なエネルギーの消費を回避することができる効果がある。
【図面の簡単な説明】
【図１】本発明装置の実施の形態を説明する全体概要側面図。
【図２】本発明装置の具体的実施例における第１印刷装置を中心とする部分側面図。
【図３】本発明装置の具体的実施例における第２印刷装置を中心とする部分側面図。
【図４】本発明装置の具体的実施例における加熱装置及びエンボス装置を中心とする部分側面図。
【図５】本発明装置の具体的実施例における主デリバリ装置の側面図。
【図６】（ａ）〜（ｄ）は本発明装置の具体的実施例における導入切り換え装置と、その切り換え操作を説明する側面図。
【図７】（ａ）〜（ｄ）は本発明装置の具体的実施例における導入切り換え装置と、その切り換え操作を説明する側面図。
【図８】（ａ）〜（ｂ）は本発明装置の具体的実施例におけるエンボス装置の側面図。
【符号の説明】
ｗ1 …ウエブシート  ｗ2 …ウエブシート
Ａ1 …第１印刷装置  Ａ2 …第２印刷装置
Ｂ…アキューム装置  Ｃ…加熱装置  Ｄ…補助デリバリ装置  Ｅ…エンボス装置
Ｆ…主デリバリ装置  Ｆａ…巻き取りシート  Ｇ…導入切り換え装置
１…ロールシート  ２…インフィードロール  ３…アウトフィードロール
４…インフィードロール  ５…アウトフィードロール
６ａ、６ｂ、６ｃ…カッター刃  ７、８…シート固定部材  ９…接着テープ
１１…第１色印刷ユニット  １２…第２色印刷ユニット
１３…第３色印刷ユニット  １５ａ、１５ｂ、１５ｃ…ガイドロール
１６…カッティングテーブル  １６ａ…カッティング溝
１６ｂ…バキューム吸引孔  １７…カッティングテーブル
１７ａ…カッティング溝  １７ｂ…バキューム吸引孔
１８ａ、１８ｂ、１８ｃ…ガイドロール
１９…カッティングテーブル  １９ａ…支軸  １９ｂ…ガイドロール
１９ｃ…カッティングプレート
２１…第１色目の印刷ユニット  ２２…第２色目の印刷ユニット
２３…第３色目の印刷ユニット
３１…固定ガイドロール  ３２…可動ガイドロール  ３３…水平フレーム
３４…補助ガイドロール  ３５…インフィードロール
３６…アウトフィードロール
４１、４２…加熱ユニット  ４３…ガイドロール
５１…加熱ユニット  ５１ａ…索体  ５２…エンボスユニット
５３…エンボスロール  ５４…プレスロール  ５５…巻き付けガイドロール
５６…冷却ロール  ５７…アーム  ５７ａ…回転軸  ５８…ロール受部材
５８ａ…支軸  ５９…ダンサーロール
６１…最終送行張力調整ユニット  ６２…巻き取りユニット  ６３…巻き取り軸
６４…回転軸  ６５…アーム
【図１】
0003767020.tif 000002
【図２】
0003767020.tif 000003
【図３】
0003767020.tif 000004
【図４】
0003767020.tif 000005
【図５】
0003767020.tif 000006
【図６】
0003767020.tif 000007
【図７】
0003767020.tif 000008
【図８】
0003767020.tif 000009